(57)【特許請求の範囲】
【請求項１】
対向する内面にそれぞれ電極を有する２枚の透明な基板の間に液晶を封入した液晶セルと、該液晶セルの視認側に配設した吸収型偏光板と、該液晶セルの視認側と反対側に配設した反射型偏光板とを備え、
前記吸収型偏光板は透過容易軸と直交する振動面をもつ直線偏光は吸収する偏光シートであり、
前記反射型偏光板は透過容易軸と直交する振動面をもつ直線偏光は反射する偏光シートである液晶表示装置であって、
前記反射型偏光板に対して前記液晶セルと反対側には反射板又は色フィルタとして機能する誘電体多層膜を配置したことを特徴とする液晶表示装置。
【請求項２】
請求項１記載の液晶表示装置において、
前記誘電体多層膜が反射板として機能し、該誘電体多層膜に対して前記液晶セル側に色フィルタを配設したことを特徴とする液晶表示装置。
【請求項３】
請求項２記載の液晶表示装置において、
前記色フィルタが、吸収型の色偏光板又は誘電体多層膜又は選択吸収型色フィルタである液晶表示装置。
【請求項４】
請求項１記載の液晶表示装置において、
前記誘電体多層膜が色フィルタとして機能し、該誘電体多層膜に対して前記液晶セルと反対側に反射板を配設したことを特徴とする液晶表示装置。
【請求項５】
前記反射板は、金属膜、誘電体多層膜、白色又は灰色の反射板、色反射板のうちのいずれかである請求項４記載の液晶表示装置。
【請求項６】
前記反射板は、鏡面又は粗面である請求項４記載の液晶表示装置。
【請求項７】
請求項１記載の液晶表示装置において、
前記吸収型偏光板の視認側に光拡散板又は光拡散層を配設したことを特徴とする液晶表示装置。
【発明の詳細な説明】
【０００１】
【発明の属する技術分野】
この発明は、時計や携帯情報装置等の各種電子機器の表示パネルとして使用される液晶表示装置に関する。
【０００２】
【従来の技術】
液晶表示パネルを用いて、時・分・秒などの時刻情報や、日付け・曜日・月・年などのカレンダ情報をデジタル表示する時計は従来から、水晶発振回路を備えた腕時計や置時計に多用されている。
また、時刻情報を指針によって表示するアナログ式表示と、時刻情報やカレンダ情報を数字や文字で表示するデジタル式表示を組み合わせたコンビネーション時計もある。
さらに、液晶表示パネルによって文字板を構成して種々の目盛パターンを選択的に表示したり、あるいは時針・分針・秒針等の指針を擬似表示したりするアナログ式時計も提案されている（例えば特開昭５４−１５３０６６号公報参照）。
【０００３】
時計以外にも、携帯電話や電子卓上計算機、携帯ゲーム器、その他各種の電子機器において、必要な情報（文字情報や画像情報）を表示する表示パネルとして、小型で消費電力が極めて少ない反射型の液晶表示装置が広く使用されている。
このような液晶表示装置としての従来の液晶表示パネルは、対向する内面にそれぞれ電極を有する２枚の透明な基板の間に液晶を封入した液晶セルを挟んで、その両側に上偏光板と下偏光板を配置している。そして、液晶セルの一対の基板の電極間に電圧を印加して電界を与えると、液晶のもつ光学特性が変化し、液晶表示パネルに入射する光の透過と吸収を部分的に制御して所定の表示を行なう。
その上偏光板と下偏光板は、いずれも透過容易軸と直交する振動面をもつ直線偏光は吸収する偏光板である。
このような従来の液晶表示パネルを用いた時計では、一般的なノーマリホワイト・モードでは、白地に黒表示で時刻情報やカレンダ情報を表示する。
【０００４】
【発明が解決しようとする課題】
しかしながら、このように白（明るい）地に黒（暗い）表示で時刻情報やカレンダ情報を表示するだけでは、デザイン的に変化がなく、おもしろ味にも欠け、消費者に飽きられてしまう。そのため、近年デジタル表示式の時計の消費は落ち込んでいる。また、コンビネーション時計もあまり普及せず、液晶表示パネルを用いたアナログ表示式の時計も普及していない。
他の電子機器の液晶表示パネルも同様に、白地に黒表示で各種情報を表示するのが一般的であり、反転モードで白黒反転表示を行なえるものもあるが、やはり変化に乏しく、おもしろ味に欠けていた。
この発明は、このような現状に鑑みてなされたものであり、デザイン的に変化があり、時計等の各種電子機器における情報を明るく見易く表示できる液晶表示装置を提供することを目的とする。
【０００５】
【課題を解決するための手段】
この発明による液晶表示装置は、上記の目的を達成するため、対向する内面にそれぞれ電極を有する２枚の透明な基板の間に液晶を封入した液晶セルと、その液晶セルの視認側に配設した吸収型偏光板と、その液晶セルの視認側と反対側に配設した反射型偏光板とを備え、その吸収型偏光板は透過容易軸と直交する振動面をもつ直線偏光は吸収する偏光シートであり、反射型偏光板は透過容易軸と直交する振動面をもつ直線偏光は反射する偏光シートである液晶表示装置であって、その反射型偏光板に対して液晶セルと反対側には反射板又は色フィルタとして機能する誘電体多層膜を配置したものである。
この液晶表示装置において、上記誘電体多層膜が反射板として機能する場合、その誘電体多層膜に対して上記液晶セル側に色フィルタを配設してもよい。
【０００６】
上記色フィルタは、吸収型の色偏光板又は誘電体多層膜又は選択吸収型色フィルタのいずれかにするとよい。
また、上記誘電体多層膜が色フィルタとして機能する場合、その誘電体多層膜に対して上記液晶セルと反対側に反射板を配設してもよい。その反射板は、金属膜、誘電体多層膜、白色又は灰色の反射板、色偏光板のうちのいずれかであるとよい。その反射板は、鏡面でも粗面でもよい。
さらに、上記吸収型偏光板の視認側に光拡散板又は光拡散層を配設してもよい。
また、これらの液晶表示装置における上記吸収型偏光板と反射型偏光板とは、互いにその透過容易軸が直交するか、あるいは平行するように配設するのが望ましい。
上記液晶セルは、透過する直線偏光を位相変調または強度変調する液晶を封入したものが望ましい。そのような液晶として、ツイストネマティック液晶、スーパー・ツイストネマティック液晶、あるいはゲストホスト液晶を使用するとよい。
さらに、上記吸収型偏光板は、その透過容易軸を液晶セルの視認側の液晶分子の長軸方向に平行させるかあるいは直交させるように配置するのが望ましい。
【０００７】
このように構成したこの発明による液晶表示装置は、視認側からの入射光の半分は吸収型偏光板によって吸収されるが、残りの半分はそれを透過して液晶セルに入射し、それが液晶セルを透過する際に部分的に光学特性を変化させて、反射型偏光板によって全反射される部分と、それを透過する部分とを形成し、メタリックな表示を行なうことができる。
液晶セルの両側の吸収型偏光板と反射型偏光板の透過容易軸を直交させるか平行させるかにより、あるいは吸収型偏光板の透過容易軸を液晶セルの視認側の液晶分子の長軸方向に平行させるか直交させるかにより、または液晶の種類や電圧印加の仕方により、背景部と表示セグメント部のいずれか一方を全反射によるメタル色で、他方をその下側に配置した誘電体多層膜の反射板としての機能による反射色又は色フィルタとしての機能による透過色などで表示することができる。
【０００８】
例えば、液晶セルを挟んで上下に配置する吸収型偏光板と反射型偏光板の透過容易軸が互いに平行になるように配置し、液晶セルとして９０度ツイスト角のツイストネマティック液晶を封入したものを使用した場合について、その作用を説明する。
液晶セルの視認側（上側）から入射した光の半分は吸収型偏光板に吸収される。残りの半分は液晶セルに入射してそれを透過するが、液晶セルの液晶に電圧が印加されない背景部ではその透過光が９０度旋光されるため、反射型偏光板の透過容易軸と直交する振動面をもつ直線偏光となり、その反射型偏光板によってほとんど全部が反射される。したがって、背景部はメタル調（ミラー状）の表示になる。
【０００９】
一方、液晶セルの時刻情報やカレンダー情報等の各種情報を表示する表示セグメント部の液晶には電圧が印加されるため、液晶セルを透過する光は旋光されず、反射型偏光板の透過容易軸と同じ方向の振動面をもつ直線偏光になるので、その反射型偏光板を透過する。さらに、その反射型偏光板の下側に反射板又は色フィルタとして機能する誘電体多層膜を配置しているので、それによる反射色や透過色など、好みの色調で表示することができる。
【００１０】
したがって、デザイン的に変化があり、おもしろ味のある液晶表示装置を提供することができる。
さらに、上記液晶表示装置における透過型偏光板の視認側に光拡散層又は光拡散板を配設した場合には、反射型偏光板による反射光を拡散させて、メタル調の表示を白色調のソフトな表示にして見やすくすることができ、視野角特性も改善される。
【００１１】
【発明の実施の形態】
以下、この発明の基礎となる液晶表示装置および最適な実施形態並びに参考例を図面を参照して説明する。
〔基礎となる液晶表示装置：図１，図２〕
まず、この発明の基礎となる液晶表示装置について、図１および図２を参照して説明する。
図１はその液晶表示装置である液晶表示パネルの構成を示す模式的な断面図であるが、液晶セルと各偏光板の厚さおよび間隔を拡大して示している。
この図１に示す液晶表示パネル１０は、液晶セル１１と、その視認側（図では上側）に配設した吸収型偏光板１２と、液晶セル１１の視認側と反対側（図では下側）に配設した反射型偏光板１４とによって構成されている。
【００１２】
液晶セル１１は、図２に示すように２枚のガラス基板１，２の間に液晶３を閉じこめるようにシール材４で封入し、その液晶３には例えばツイスト角が９０度以下のツイストネマティック（ＴＮ）液晶を使用する。
そして２枚のガラス基板１，２の液晶３に接触する側の面には、それぞれ酸化インジウム錫（ＩＴＯ）による透明な電極５，６を形成し、さらにその液晶３と接する面に、液晶分子が所定の方向に配向するように配向処理を施している。
そして、この電極５と電極６の間に電圧を印加することによって、電極５，６間の液晶３の配向状態を変化させて、各種の情報をデジタル表示あるいはグラフィック表示する。
【００１３】
この液晶セル１１を挟んで上下に配置した吸収型偏光板１２と反射型偏光板１４とは、その透過容易軸が互いに平行になるように配置する。
さらに、視認側に配置する吸収型偏光板１２の透過容易軸と液晶セル１１の視認側の液晶分子の長軸方向とを揃える（平行させる）ように配置する。
その吸収型偏光板１２は、透過容易軸と直交する振動面をもつ直線偏光は吸収する偏光シートであり、従来から一般に使用されている偏光板と同じである。
【００１４】
一方、反射型偏光板１４は、透過容易軸と直交する振動面をもつ直線偏光は反射する偏光シートである。この反射型偏光板１４としては、例えば、米国のミネソタマイニング  アンド  マニュファクチャリング  カンパニーが製造するオプチカルフィルム  ＤＢＥＦ（商品名）を使用する。日本では住友スリーエム株式会社から入手できる。
このような反射型偏光シートは、上記製造会社によって開発され、特表平９−５０７３０８号公報（国際公開番号：ＷＯ９５／１７６９１）や特表平９−５１１８４４号公報（国際公開番号：ＷＯ９５／２７９１９）に詳述されている。
【００１５】
この液晶表示パネル１０によれば、図１において上方から入射する外光は、まず液晶セル１１の視認側に配設された吸収型偏光板１２によってその半分は吸収され、残りの半分は透過して液晶セル１１に入射する。そして、表示の背景部では、液晶セル１１の液晶３に電圧が印加されないため、その入射した光が液晶セル１１を透過する際に液晶３（この場合ツイストネマティック液晶）によって９０度旋光され、反射型偏光板１４の透過容易軸と直交する振動面をもつ直線偏光になる。そのため、液晶セル１１を透過した直線偏光は、その下側に配設された反射型偏光板１４によって殆ど全部が反射される。その反射光が上記と逆の経路で視認側へ射出する。したがって、表示の背景部はミラー状のメタル色になる。
【００１６】
液晶セル１１の情報を表示するために電圧が印加された表示セグメント部においては、吸収型偏光板１２を透過して液晶セル１１に入射した光が液晶セルを透過する際に、液晶３によって旋光されなくなり、反射型偏光板１４の透過容易軸と同じ方向の振動面をもつ直線偏光になるため、反射型偏光板１４を透過する。
したがって、この液晶表示パネル１０の下面側に光吸収部材（層，板，シートなど）を設けておけば、反射型偏光板１４を透過した光は殆ど吸収されて視認側に反射される光はなくなるため、表示セグメント部は黒又は暗く表示されることになる。
【００１７】
しかし、光吸収部材に代えて、白色板あるいはグレイ板もしくは種々の着色板（又はシート）などを配置すれば、その乱反射により、背景部のメタル色とは明確に区別できる白色，灰色，もしくは任意の色で、明るくカラフルに表示することもできる。
あるいは、この液晶表示パネル１０をそのまま電子時計等の電子機器に装着すれば、背景部はメタル色で、情報を表示する表示セグメント部では装置の内部構造が見えることになり、おもしろい表示が可能である。
【００１８】
したがって、白もしくはグレイの地に黒もしくは暗色で時刻情報やカレンダ情報等のデジタル表示や、各種の情報を表示する従来の液晶表示パネルに比べて、この発明による液晶表示パネルは、メタル調の背景に透明あるいは任意の色調で表示を行なうことができるので、デザイン的に変化を持たせることかでき、おもしろ味も増すことができる。
【００１９】
また、液晶セル１１を挟んで両側に配置した吸収型偏光板１２と反射型偏光板の各透過容易軸を直交させて、液晶３のツイスト角に合致させるように配置すれば、背景部と表示セグメント部の表示状態が反転し、暗色か透明あるいは任意の色の背景部に各種情報をミラー状のメタル色で表示させることもできる。
なお、液晶セル１１の電極５，６を、数字表示用の７セグメントパターン等の複数のセグメントパターンに形成して、デジタル表示を行なう液晶表示パネルに限らず、液晶セル１１の電極５，６をドットマトリクス状に形成して、各種の文字や図形を表示する液晶表示パネルにも、この発明を適用できることは勿論である。
【００２０】
液晶セル１１に封入する液晶が、透過する直線偏光を位相変調するツイストネマティック（ＴＮ）液晶の場合の例を説明したが、スーパー・ツイストネマティック（ＳＴＮ）液晶や、透過する直線偏光を強度変調するゲストホスト液晶などを用いることも可能である。
ゲストホスト液晶は、液晶を溶媒としてその中に溶質として２色性染料を溶解させた混合系の液晶である。そして、液晶分子に電界をかけてその配向状態を変化させると、液晶分子の動きにしたがって２色性染料の配向を制御することができ、一定方向から入射する光の吸収を変調させて表示することができる。
したがって、上述した液晶表示パネルにおける液晶セル１１の液晶３としてこのゲストホスト液晶を適用すれば、メタル調の背景内の表示部分をカラー化することが容易になる。
【００２１】
〔第１乃至第６の実施形態：図３、図４、図６〜９と、参考例：図５〕
次に、この発明による液晶表示装置の第１乃至第６の実施形態と参考例を図３乃至図９によって説明する。図３乃至図９は、それぞれその各実施形態と参考例の液晶表示装置である液晶表示パネルの構成を示す図１と同様な断面図である。これらの図において、図１と同じ部分には同一の符号を付してあり、それらの説明は省略する。
図３は、この発明の第１の実施形態の液晶表示パネルで、図１に示した基礎となる液晶表示装置の液晶表示パネルと異なるのは、液晶セル１１の視認側と反対側に配設した反射型偏光板１４に対して液晶セル１１と反対側（図では下側）に反射板１５を配設した点だけである。
【００２２】
この反射板１５は誘電体多層膜を使用する。ただし、後述する図８及び図９における反射板１５には、フィルム状基板にアルミニウムやニッケルなどの金属膜を形成した部材や、誘電体多層膜を使用する。そして、その表面が鏡面の反射板でもよいが、表面を幾分粗面にした金色の反射板や、白色あるいは灰色の反射板、特定の波長の光成分のみを乱反射する色反射板（いずれも反射シートあるいはコーティング等による反射層でもよい）を用いてもよい。
この誘電体多層膜による反射板１５によって、反射型偏光板１４を透過した光を反射させて、逆の経路で視認側に射出させることができる。
【００２３】
それによって、光の利用効率が向上し、メタル色と白又はグレイあるいは任意の色とのコントラストによる明るい表示を行なうことができる。
なお、この反射板１５を鏡面の反射面を有する反射板にした場合には、背景部も表示セグメント部も全反射によるメタル調の表示状態になるが、その色調をシルバーとゴールドのように異ならせることができ、且つその反射位置の相違により少し斜め方向から見た場合には立体感のある表示となる。
【００２４】
図４は、この発明の第２の実施形態の液晶表示パネルで、図１に示した基礎となる液晶表示装置の液晶表示パネルと異なるのは、液晶セル１１の視認側と反対側に配設した反射型偏光板１４に対して液晶セル１１と反対側（図では下側）に色フィルタ１６を配設した点だけである。
この色フィルタ１６としては誘電体多層膜を使用する。ただし、後述する図８及び図９における色フィルタ１６には、吸収型の色偏光板や誘電体多層膜、または選択吸収型フィルタなども使用できる。
このように誘電体多層膜による色フィルタ１６を反射型偏光板１４の下側に配置すると、この反射型偏光板１４を透過した光の特定波長成分のみを透過させることができるので、その下側に白色板を配置すれば、各種の情報表示部分をカラー化することができる。
【００２５】
図５は、この発明の参考例としての液晶表示パネルであり、図１に示した基礎となる液晶表示装置の液晶表示パネルと異なるのは、液晶セル１１の視認側に配設した吸収型偏光板１２の視認側（図では上側）に光拡散板（散乱板）１７を配設した点だけである。
この光拡散板１７は、例えば透明なフィルム状基板上に酸化シリコンであるシリカ粒子やアクリルビーズあるいはカルシュウム粉末を接着剤に混入したものを塗布して形成する。あるいは、透明なフィルムの表面にエンボス加工して形成することもできる。このようなフィルムを吸収型偏光板１２の上面に直接貼付したり、光拡散剤を塗布したりして、光拡散層を形成するようにしてもよい。
このように、吸収型偏光板１２の視認側に光拡散板１７あるいは光拡散層を設けることにより、反射型偏光板１４によるミラー状の反射光を拡散させて、背景部のメタル調を抑えてやわらかい上品な色調の表示にすることができるとともに、視野角特性も改善される。
【００２６】
図６は、この発明の第３の実施形態の液晶表示パネルであり、図５に示した参考例の液晶表示パネルと異なるのは、その反射型偏光板１４に対して液晶セル１１と反対側（図では下側）に色フィルタ１６を配設した点だけである。
この色フィルタ１６は、図４に示した第２の実施形態で説明した誘電体多層膜による色フィルタ１６と同じである。
したがって、この第３の実施形態の液晶表示パネルは、第２の実施形態（図４）と参考例（図５）の各液晶表示パネルの機能を兼ね備えており、背景部のメタル調を抑えてやわらかい上品な色調の表示にすることができるとともに、視野角特性も改善され、且つ情報を任意の色で表示することができる。
【００２７】
図７は、この発明の第４の実施形態の液晶表示パネルであり、図５に示した参考例の液晶表示パネルと異なるのは、その反射型偏光板１４に対して液晶セル１１と反対側（図では下側）に反射板１５を配設した点だけである。
この反射板１５は、図３に示した第１の実施形態で説明した誘電体多層膜による反射板１５と同じである。
したがって、この第３の実施形態の液晶表示パネルは、第１の実施形態（図３）と参考例（図５）の各液晶表示パネルの機能を兼ね備えており、背景部のメタル調を抑えてやわらかい上品な色調の表示にすることができるとともに、視野角特性も改善され、且つ光の利用効率を高めて明るい表示を行なうことができる。
【００２８】
図８は、この発明の第５の実施形態の液晶表示パネルであり、図４に示した第２の実施形態の液晶表示パネルと異なるのは、その色フィルタ１６に対して反射型偏光板１４と反対側（図では下側）に反射板１５を配設した点だけである。
この反射板１５も、図３に示した第１の実施形態で説明した誘電体多層膜による反射板１５と同じであるが、色フィルタ１６が誘電体多層膜であれば、前述したように、フィルム状基板にアルミニウムやニッケルなどの金属膜を形成した部材や、表面を鏡面あるいは幾分粗面にした金色の反射板や、白色あるいは灰色の反射板、特定の波長の光成分のみを乱反射する色反射板などを使用してもよい。また、反射板１５が誘電体多層膜であれば、色フィルタ１６には前述したように、吸収型の色偏光板や選択吸収型フィルタなどを使用することもできる。
この第５の実施形態の液晶表示パネルは、第３の実施形態（図４）と第１の実施形態（図３）の各液晶表示パネルの機能を兼ね備えており、反射型偏光板１４および色フィルタ１６を透過した光を反射板１５によって視認側へ反射させる。したがって、メタル調の背景内に各種の情報をカラー表示できるとともに、光の利用効率を高めて明るい表示を行なうことができる。
【００２９】
図９は、この発明の第６の実施形態の液晶表示パネルであり、図８に示した第５の実施形態の液晶表示パネルと異なるのは、その吸収型偏光板１２の視認側（図では上側）に光拡散板１７を配設した点のみである。
この光拡散板１７は、図５に示した参考例で説明した光拡散板１７と同じであり、光拡散層でもよい。
したがつて、この第６の実施形態の液晶表示パネルは、図８に示した第５の実施形態の機能に、図５に示した参考例の機能を加えたもので、背景部のメタル調を抑えてやわらかい上品な色調のカラー表示を明るく行なうことができるとともに、視野角特性も改善される。
これらの各実施形態においても、前述の基礎となる液晶表示装置について説明した各種の変更例を同様に適用することができる。
【００３０】
〔この発明による液晶表示装置の適用例〕
ここで、これまで説明してきたこの発明による液晶表示装置である液晶表示パネルを適用したデジタル表示方式の水晶時計の例を示す。
図１０はその時計の外観を示す斜視図、図１１はその内部構造を示す断面図である。
この水晶時計の時計ケース２０は、金属製の胴部２１に風防ガラス２２と裏蓋２３とが接合されて形成されている。
【００３１】
風防ガラス２２は、サファイアガラスや強化ガラスあるいは樹脂材料などの透明材料からなり、胴部２１の前面側に接着またはパッキングを介して嵌合して接合している。裏蓋２３は、胴部２１の背面側にネジ込みやパッキングを介して嵌合して接合している。このように、時計ケース２０の内部は、ほこりや水分が侵入しないような気密構造になっている。
この時計ケース２０内の風防ガラス２２側には、時刻等の表示を行なう表示部として、この発明による反射型の液晶表示パネル（液晶表示装置）１０を設けている。
【００３２】
この液晶表示パネル１０には、時，分，秒を表示する時刻表示部１０ａと、月，日，曜日を表示するカレンダー表示部１０ｂと、１秒ごとに点滅するコロンのマーク表示部１０ｃとがある。これらの各表示部は、図２に示した液晶セル１１のガラス基板１，２の内面に形成される透明な電極５，６のセグメントパターンによって形成される。
そして、通常の１２時間または２４時間の時刻表示機能、アラーム機能、ストップウォッチ機能、タイマー機能等の表示が可能になっている。
この表示機能の切り換えや時刻修正は、時計ケース２０の胴部２１に設けた複数の操作スイッチ２４の操作によって行なう。この操作スイッチ２４は、胴部２１との間にパッキングを設け、時計ケース２０の内部にほこりや水分が侵入しないようにしている。
【００３３】
この水晶時計の内部には、図１１に示すように時計ケース２０内に、液晶表示パネル１０と回路基板３０とがほぼ平行に配置され、回路基板３０の裏蓋２３側にその駆動電源となる電池３１が配置されている。
回路基板３０上には、発振周波数が３２，７６８Ｈｚの水晶振動子３２と、この水晶振動子を発振させて所定の信号を生成する水晶発振回路や分周回路、液晶表示パネル１０を駆動するための駆動回路、この水晶時計を統括制御する中央演算処理装置（ＣＰＵ）等を搭載した半導体集積回路３３を実装している。
【００３４】
液晶表示パネル１０と回路基板３０とは、その間に配置したゼブラゴム３４によって電気的に接続されている。そして、液晶表示パネル１０と回路基板３０との電気的接続を確実にするため、ゼブラゴム３４がその厚さ方向に圧縮されるように構成している。
このゼブラゴム３４は、絶縁体であるシリコンゴムにカーボンや金属粒子を含有させた導電層を一定のピッチで形成したものであり、その厚さ方向には各導電層により導通し、隣接する導電層とは絶縁状態となっている。このゼブラゴム３４の導電層による上下導通部と絶縁部とが交互に配置されているのに対応するように、同じピッチ寸法で、液晶表示パネル１０と回路基板３０の対抗する面にそれぞれ接続端子パターンが形成されている。
【００３５】
この時計によれば、風防ガラス２２側（視認側）からの外光の入射により、反射型の液晶表示パネル１０によって、時・分・秒などの時刻情報や、日付け・曜日・月・年などのカレンダ情報などを、メタル調の背景部内に種々の状態（暗色，白色，各種の色、あるいは時計の内部構造を透視できる状態など）でデジタル表示することができる。
あるいは、その背景部と情報表示部の表示状態を反転させて、時刻情報やカレンダ情報などをメタル調で表示することもできる。
【００３６】
図１１における液晶表示パネル１０は、図１に示した基礎となる液晶表示パネル１０と同様に示されているが、この液晶表示パネル１０としては、前述の第１乃至第６の各実施形態として説明したいずれの液晶表示パネルも適用することができる。
この液晶表示パネル１０は、入射する外光の反射によって表示するので内部光源は不要であるが、夜間などの外光がないか暗い場所でも表示できるようにするため、液晶表示パネル１０（図１，図４，図５，図６に示したもの）の下面側にバックライトを設けて、操作スイッチ２４のいずれかを押したときだけそのバックライトが点灯して、透過型の表示も行なえるようにしてもよい。
【００３７】
【発明の効果】
以上説明してきたように、この発明による液晶表示装置は、外光の入射により、ミラー状あるいはそれをソフト化したメタル調の背景部内に、各種の情報を暗色，白色，各種の色など種々な状態で表示することができる。
また、その背景部と情報表示部の表示状態を反転させ、各種の情報を表示する文字や数字あるいは図形などをメタル調で表示することもできる。
したがって、この発明による液晶表示装置を、デジタル表示式水晶時計やその他の携帯型電子機器をはじめ各種電子機器の表示パネルとして適用することができ、それによって、デザイン的に変化があり、しかもおもしろ味のある電子機器を提供することができる。
【図面の簡単な説明】
【図１】この発明の基礎となる液晶表示装置の構成を示す模式的な断面図である。
【図２】その液晶セルの構成を示す拡大断面図である。
【図３】この発明による液晶表示装置の第１の実施形態の構成を示す模式的な断面図である。
【図４】この発明による液晶表示装置の第２の実施形態の構成を示す模式的な断面図である。
【図５】この発明の参考例としての液晶表示装置の構成を示す模式的な断面図である。
【図６】この発明による液晶表示装置の第３の実施形態の構成を示す模式的な断面図である。
【図７】この発明による液晶表示装置の第４の実施形態の構成を示す模式的な断面図である。
【図８】この発明による液晶表示装置の第５の実施形態の構成を示す模式的な断面図である。
【図９】この発明による液晶表示装置の第６の実施形態の構成を示す模式的な断面図である。
【図１０】この発明による液晶表示装置の適用例を示す水晶時計の外観斜視図である。
【図１１】その内部構造を示す断面図である。
【符号の説明】
１，２：ガラス基板        ３：液晶
４：シール材              ５，６：電極
１０：液晶表示パネル      １１：液晶セル
１２：吸収型偏光板        １４：反射型偏光板
１５：反射板              １６：色フィルタ
１７：光拡散板            ２１：胴部
２２：風防ガラス          ２３：裏蓋
２４：操作スイッチ        ３０：回路基板
３１：電池                ３２：水晶振動子
３３：半導体集積回路      ３４：ゼブラゴム
【図１】
0003617828.tif 000002
【図２】
0003617828.tif 000003
【図３】
0003617828.tif 000004
【図４】
0003617828.tif 000005
【図５】
0003617828.tif 000006
【図６】
0003617828.tif 000007
【図７】
0003617828.tif 000008
【図８】
0003617828.tif 000009
【図９】
0003617828.tif 000010
【図１０】
0003617828.tif 000011
【図１１】
0003617828.tif 000012